(57)【要約】  【課題】  照明との取り合いがスッキリした、見栄えの良い展示パネルの吊り・照明装置を提供する  【解決方法】  展示パネルの吊り・照明装置１は、展示パネル１０と、パネル１０（下枠部材４０）を吊る２本のワイヤーＷと、パネル１０の上部に係合する上枠部材２０と、パネル１０の下部に係合する下枠部材４０とから主に構成されている。パネル１０は、図１に見られるように、展示パネルを見る人の側（図の右側）に展示シート１９がきて、反対側に面発光ボード１１がくる。そして、裏側から照明される展示シート１９に描かれている画像等を見ることができる。【選択図】  図２
2012120936.tif 000002
【特許請求の範囲】
【請求項１】
吊りワイヤーと、
該吊りワイヤーの任意の位置に、展示シートを係止させる展示シート係止手段と、
前記展示シートを照明する面発光ボードを、前記展示シートに重ねて係止する照明係止手段と、
を備えることを特徴とする展示パネルの吊り・照明装置。
【請求項２】
前記展示シート係止手段兼前記照明板係止手段として、
前記展示シート、及び、前記照明板の下部に係合する下枠部材と、
前記展示シート、及び、前記照明板の上部に係合し、前記ワイヤーが上下方向に貫通する上枠部材と、
前記下枠部材に取り付けられた、前記ワイヤーの任意の位置に係止可能なワイヤーグリッパーと、
を具備することを特徴とする請求項１記載の展示パネルの吊り・照明装置。
【請求項３】
前記面発光ボードの表裏両面に前記展示シートが配置されていることを特徴とする請求項１又は２記載の展示パネルの吊り・照明装置。
【請求項４】
前記面発光ボードが、長方形であって、
対向する２辺に配設されたLED素子の列と、
該２辺の端部を繋ぐ辺に配設された配線と、
を有することを特徴とする請求項１、２及び３記載の展示パネルの吊り・照明装置。
【発明の詳細な説明】
【技術分野】
【０００１】
本発明は、ショーウィンドウ等のディスプレイ用空間や店舗内において、展示パネルを吊る装置に関する。特には、展示パネルを照明しながら、所望の位置に吊り下げられるように改良を加えた、見栄えの良い展示パネルの吊り・照明装置に関する。
【背景技術】
【０００２】
ショーウィンドウ等のディスプレイ用空間においては、ワイヤーで吊り下げられたパネルに、ポスター等が保持されてディスプレイされる。このようなパネルは、照明を必要とするのが一般的であるが、照明との取り合いが煩雑感を与えないことが望ましい。また、パネルを、照明とともにワイヤーの任意の位置に移動できたり、ワイヤーの途中から簡単に取り外せることが好ましい。
【先行技術文献】
【特許文献】
【０００３】
【特許文献１】特開２００８−１４８９５９
【発明の開示】
【発明が解決しようとする課題】
【０００４】
本発明は上記の点に鑑みてなされたものであって、照明との取り合いがスッキリした、見栄えの良い展示パネルの吊り・照明装置を提供することを目的とする。
【課題を解決するための手段】
【０００５】
本発明の展示パネルの吊り・照明装置は、  吊りワイヤーと、  該吊りワイヤーの任意の位置に、展示シートを係止させる展示シート係止手段と、  前記展示シートを照明する面発光ボードを、前記展示シートに重ねて係止する照明係止手段と、  を備えることを特徴とする。なお、面発光ボードは、展示シートの裏面から照明するもの（シートは一定の透光性を要する）でも、表面から照明するもの（ボードは透明性を要する）であってもよい。【０００６】
本発明によれば、パネルをワイヤーに沿って任意の高さに位置させることができる。また、展示シートに重ねた面発光ボードで、該シートを、裏面から、あるいは表面から照明できる。つまり、展示シートと面発光ボードを一組のものとして、所望の高さで展示できる。そのため、パネルの高さを変えても、展示シートの照明条件に変化はなく、見やすく・ディスプレイ性に優れた展示パネルを提供できる。また、パネル位置変更の場合にも、スポットライトなどの照明装置の方向変更は不要であり、手間がかからない。【０００７】
なお、ワイヤーを横方向へ移動させるレールのような手段を併設すれば、展示パネルを横方向へも移動可能である（図６（Ｂ）参照）。また、前記パネルが、一枚の面発光ボードと１枚の透明なパネル板を有し、両者の間にシート状のディスプレイが挟まれることとできる。この場合、ポスター等のディスプレイをパネル間に挟んで展示するので、画鋲やテープなどを使用する必要がなく、ディスプレイを傷つけないように展示できる。【０００８】
本発明においては、  前記展示シート係止手段兼前記照明板係止手段として、  前記展示シート、及び、前記照明板の下部に係合する下枠部材と、  前記展示シート、及び、前記照明板の上部に係合し、前記ワイヤーが上下方向に貫通する上枠部材と、  前記下枠部材に取り付けられた、前記ワイヤーの任意の位置に係止可能なワイヤーグリッパーと、を具備することとできる。【０００９】
この態様によれば、下枠部材に取り付けたワイヤーグリッパーによって、パネルをワイヤーに沿って任意の高さに位置させることができる。そして、ワイヤーグリッパーの大部分を下枠部材内に収容できるように小型化することにより、見栄えを良くすることができる。また、上枠部材を設けることにより、パネルの上部の振れを押えることができる。そして、上枠部材をワイヤーに沿って自由に上下にスライドさせることができるので、パネルを簡単に取り付け・取り外しできる。【００１０】
本発明においては、面発光ボードの表裏両面に展示シートを配置することもできる。この場合、パネルの両面で展示できる。あるいは、展示パネルを、空間の仕切りとして用いることもできる。【００１１】
本発明においては、前記面発光ボードが、長方形であって、  対向する２辺に配設されたLED素子の列と、  該２辺の端部を繋ぐ辺に配設された配電線と、を有することとできる。この場合、大寸法で光量の十分な面発光ボードとなり、インパクトのある展示パネルとなる。
【発明の効果】
【００１２】
以上の説明から明らかなように、本発明によれば、展示シートと面発光ボードを一組のものとして、所望の高さで展示できる。そのため、パネルの高さを変えても、展示シートの照明条件に変化はなく、見やすく・ディスプレイ性に優れた展示パネルを提供できる。また、パネル位置変更の場合にも、スポットライトなどの照明装置の方向変更は不要であり、ディスプレイ調整の手間がかからない。結局、照明との取り合いがスッキリした、見栄えの良い展示パネルの吊り・照明装置を提供できる。
【図面の簡単な説明】
【００１３】
【図１】本発明の第１の実施の形態に係る展示パネルの吊り・照明装置の構成を示す縦断面図である。
【図２】図１の展示パネルの吊り・照明装置の構成を示す分解斜視図である。
【図３】本発明の第２の実施の形態に係る展示パネルの吊り・照明装置の構成を示す縦断面図である。
【図４】図１・３の展示パネルの吊り・照明装置の上枠部材の構造を示す図であり、図４（Ａ）は正面図、図４（Ｂ）はＢ−Ｂ断面図、図４（Ｃ）はＣ−Ｃ断面図、図４（Ｄ）はＤ−Ｄ断面図である。
【図５】図１・３の展示パネルの吊り・照明装置の下部材の構造を示す図であり、図５（Ａ）は正面図、図５（Ｂ）はＢ−Ｂ断面図、図５（Ｃ）はワイヤーグリッパーの側面断面図、図５（Ｄ）はＣ−Ｃ断面図、図５（Ｅ）はＥ−Ｅ断面図である。
【図６】展示パネルの吊り・照明装置の使用例を示す図である。
【符号の説明】
【００１４】
１、１´  展示パネルの吊り・照明装置        １０、１０´  展示パネル
１１  面発光ボード      １３  LED素子の列      １５  導光板
１６  配線      １８  ケーブル      １９、１９´  展示シート
２０  上枠部材                        ２１  チャンネル部材
２２  貫通孔      ２３  ケーブル通し孔      ２４  リベット      
２５  筒ブッシュ      ２６  貫通孔
２７  ネジ孔      ２８ 貫通孔      ２９  ネジ      
３１  止めネジ      ３３ 樹脂パッド      ４０  下枠部材
５０  ワイヤーグリッパー      ５１  内スリーブ      ５２  ワイヤー通し孔
５３  ボールセット孔      ５５  ボール      ５７  外スリーブ      
５９ スプリング                  ６１  固定具
７１  レール      ８１  レール      ８３  照明器具
【発明を実施するための形態】
【００１５】
以下、本発明の実施の形態について、図面を参照しながら詳細に説明する。
本発明の第１の実施形態に係る展示パネルの吊り・照明装置１は、図２に示すように、展示パネル１０と、パネル１０（下枠部材４０）を吊る２本のワイヤーＷと、パネル１０の上部に係合する上枠部材２０と、パネル１０の下部に係合する下枠部材４０とから主に構成される。
【００１６】
パネル１０は、面発光ボード１１と展示シート１９からなる。さらに、展示シート１９の表面を覆う透明板（アクリル製など）を設けてもよい。面発光ボード１１と展示シート１９は、図１に見られるように、重ねられた形で、その上下辺において、上枠部材２０と下枠部材４０によって保持されている。
【００１７】
この例の面発光ボード１１は、縦長の長方形である（寸法例；縦800mm、横600mm）導光板１５を主体として構成されている。導光板１５は、アクリル製等の透明な樹脂板に、光を伝える光学処理層（反射・干渉等）を付加したものである。市販の面発光ボードあるいはバックライ付きパネルなども用いることができる。
【００１８】
面発光ボード１１の上下の対向する２辺には、LED素子列１３、１７が配設されている。LED素子列１３，１７は、フレキシブル導電基板の帯上にLED素子を並べたものである（放熱箔も付設されている）。上下２辺のLED素子列１３、１７の図の右端部は、配線１６に接続されている。配線１６は、フレキシブル導電基板の帯のようなものであって、ボード１１の側辺に沿って埋設されている。このLED素子列１３，１７には、ケーブル１８から電力が供給される。
【００１９】
展示シート１１は、典型的には、紙や樹脂シートに印刷を施したものである。図１に見られるように、裏面照明型の展示パネル１０の場合、展示パネルを見る人の側（図の右側）に展示シート１９がきて、反対側に面発光ボード１１がくる。そして、裏側から照明される展示シート１９に描かれている画像等を見ることができる。この裏面照明型の展示パネル１０の場合、展示シート１９は、ある程度の透光性を要する。図１の例と反対に、見る人の側に面発光ボード１１を置くこともできるが、その場合、面発光ボードの反射光学機構が透明なものでなければならない。
【００２０】
ここで、図３を参照しつつ、展示シートと面発光ボードの配置形態における、他の例（第２の実施形態）を説明する。この例では、面発光ボード１１の表裏両面に展示シート１９、１９´を配置している。この場合、パネルの両面で展示できる。あるいは、展示パネル１０´を、空間の仕切りとして用いることもできる。
【００２１】
図４を参照して上枠部材２０を説明する。
図４（Ｂ）、図４（Ｃ）に示すように、上枠部材２０は、開口が下を向いたチャンネル部材２１を有する。チャンネル部材２１は、断面がコの字状で、上板２１ａと、その両側で対向する一対の側板２１ｂからなる。側板２１ｂ間の距離はパネル１０の厚さよりやや広く、パネル１０は両側板２１ｂに挟まれてチャンネル部材２１に保持される。図２（Ｂ）に示すように、上板２１ａの両端には、ワイヤーＷが貫通する孔２２が開けられている。
【００２２】
チャンネル部材２１の両端には、筒ブッシュ２５が差し込まれて、リベット２４により上板２１ａに固定されている。筒ブッシュ２５は、図４（Ｂ）に示すように、チャンネル部材２１内にぴったり入り込む寸法である。筒ブッシュ２５には、上板２１ａの貫通孔２２に連通する貫通孔２６とネジ孔２７が、上から順に同軸上を延びるように形成されている。このネジ孔２７には、中心に貫通孔２８を有するネジ２９が螺合している。図４（Ｂ）に示すように、上板２１ａの貫通孔２２、筒ブッシュ２５の貫通孔２６とネジ孔２７、ネジ２９の貫通孔２８は上下方向に同軸上に並んでいる。
【００２３】
図４（Ａ）、（Ｃ）に示すように、一方の側板２１ｂの両端から内側には、止めネジ３１が螺合している。この止めネジ３１は、チャンネル部材２１内に保持されたパネル１０を固定するためのものである。止めネジ３１の先端には樹脂パッド３３が圧入されている。止めネジ３１をドライバーを使用してチャンネル部材２１内にねじ込むと、チャンネル部材２１に保持されたパネル１０は、パッド３３と反対側の側板２１ｂ間に固定される。なお、止めネジ３１の替わりにローレットつまみ付きのネジを使用することもできる。この場合、ドライバーを使用しなくても手で回すことができる。
【００２４】
図２の上部や図４（Ｄ）、（Ａ）に見られるように、チャンネル部材２１の上板２１ａの両端部寄りには、面発光ボードワイヤーへの給電ケーブル１８が貫通する孔７０が開けられている。
【００２５】
図５を参照して下枠部材４０を説明する。
下枠部材４０は、上枠部材２０に使用されているのと同じチャンネル部材２１を有する。ただし、下枠部材４０では、チャンネル部材２１を開口が上を向くように配置する。
【００２６】
チャンネル部材２１内の両端には、上枠部材２０に使用されているのと同じ筒ブッシュ２５が差し込まれて、リベット２４により下板２１ａ（上枠部材２０の上板２１ａと同じ）に固定されている。そして、図５（Ｂ）に示すように、下枠部材４０の筒ブッシュ２５のネジ孔２９には、中心にワイヤー貫通孔５２を有するワイヤーグリッパー５０が螺合している。同図に示すように、チャンネル部材２１の下板２１ａの貫通孔２２、筒ブッシュ２５の貫通孔２６とネジ孔２７、ワイヤーグリッパー５０のワイヤー貫通孔５２は上下方向に同軸上に並んでいる。
【００２７】
ワイヤーグリッパー５０の構造を図５（Ｃ）を参照して説明する。
グリッパー本体５０は、内スリーブ５１と、外スリーブ５７と、ボール５５と、スプリング５９とから主に構成される。
【００２８】
内スリーブ５１には、ワイヤーが挿通されるワイヤー通し孔５２が軸方向に貫通して形成されている。内スリーブ５１は、図の上から順に、円筒状の先部５１ａと、先部の下端から径が拡がるテーパ状の外周面を有する円錐状の中央部５１ｂと、円筒状の基部５１ｃとを有する。基部５１ｃの外周は、中央部５１ｂの最大径部から一段小径となっている。
【００２９】
内スリーブ５１の先部５１ａと中央部５１ｂの間には、同部の外周面とワイヤー通し孔５２に開口する３個のボールセット孔５３が形成されている。ボールセット孔５３は、ワイヤー通し孔５２の中心に対して等しい中心角度（この例では１２０°）に位置し、同孔５２の軸と直交する方向（径方向）に延びている。各ボールセット孔５３には、ボール５５が嵌合している。各孔５３の径は、ボール５５の径にプラスα（例えば、０．１ｍｍ）した寸法であり、各ボール５５は各孔５３内に回転可能に支持されているとともに、孔軸方向に移動可能である。また、各孔５３の長さは、ボール５５の径よりやや短い。
【００３０】
外スリーブ５７は円筒状の部材であり、外周面にはネジが形成されている。このネジは筒ブッシュ２５のネジ孔２７に螺合し、外スリーブ５７の全体は筒ブッシュ２５のネジ孔２７内に収容される。外スリーブ５７の内周面の上部には上に向って先細のテーパ内周面が形成されている。内スリーブ５１は、先部５１ａを先にして、外スリーブ５７の下側の開口から挿入されている。
【００３１】
外スリーブ５７内の、内スリーブ基部５１ｃにはスプリング５９が挿嵌されている。スプリング５９は、内スリーブ５１の中央部５１ｂの下面と筒ブッシュ２５のネジ孔２７の底面との間に配置されている。このスプリング５９により、内スリーブ５１が先方向に付勢されている。この付勢に伴い、内スリーブ先部５１ａは外スリーブ５７の上側の開口から突き出て、チャンネル部材２１の上面から突き出している。同時に、内スリーブ５１の中央部５１ｂのテーパ外周面が外スリーブ５７のテーパ内周面に当接している。このとき、内スリーブ５１の各ボールセット孔５３に嵌合している各ボール５５は、外側が外スリーブ５７のテーパ内周面に押されて内側がワイヤー通し孔５２に突き出ている。
【００３２】
ワイヤーをグリッパー本体５０に通す際は、通常は、ワイヤーを内スリーブ先部５１ａからワイヤー通し孔５２に差し込む。ワイヤーがボールセット孔５３のボール５５に達すると、ボール５５が下に押され、これにより内スリーブ５１がスプリング５９の付勢力に抗して下方向へ移動する。内スリーブ５１が下方向へ移動すると、ボール５５は外スリーブ５７のテーパ内周面のテーパの径大部に移動する。すると、ボール５５は同孔５３内で外方向に移動可能となる。そして、ボール５５は、ワイヤーの外面で押されて外方向に移動する。この結果、ワイヤー通し孔５２が開き、ワイヤーは同孔５２を貫通可能となる。
【００３３】
ワイヤーをボールセット孔５３を超えるまで差し込んでワイヤーを上方向に引くと、あるいは、グリッパー本体５０の外スリーブ５７を下に引くと、ワイヤーはグリッパー本体５０にグリップされる。つまり、この状態では、内スリーブ５１はスプリング５９で上方に付勢されて、中央部５１ｂのテーパ外周面が外スリーブ５７のテーパ内周面に当接している。そして、内スリーブ５１の各ボールセット孔５３に嵌合しているボール５５の外側の面が外スリーブ５７のテーパ内周面で押されて、ボール５５の内側の面がワイヤー通し孔５２に突き出ている。ワイヤーは、この突き出たボール５５に挟まれてグリップされる。なお、ワイヤーが上に引かれるか外スリーブが下に引かれると、内スリーブ５１は外スリーブ５７に対して相対的に上に引かれることとなり、両者のテーパ面の作用によりボール５５はより内側に押されてグリップ力は高まることとなる。
【００３４】
グリップを解除する際は、内スリーブ先部５１ａをスプリング５９の付勢力に抗して押し下げる。すると、内スリーブ５１は外スリーブ５７内に押し込まれて、内スリーブ５１は、外スリーブ５７のテーパ内周面の径が広くなる方向へ動く。その結果、内スリーブ中央部５１ｂのテーパ外周面と外スリーブ５７のテーパ内周面との間にスキマが開き、内スリーブ５１のボールセット孔５３に嵌合しているボール５５は、同孔内を外方向（ワイヤー通し孔５２から退く方向）に移動可能となる。この結果、ワイヤーをグリッパー本体５０から引き抜くことができる。
【００３５】
図５（Ｄ）に示すように、一方の側板２１ｂの両端から内側には、上枠部材２０と同様に、チャンネル部材２１に保持されたパネル１０を固定するための、パッド３３付きの止めネジ３１が螺合している。
【００３６】
図５（Ａ）や図５（Ｄ）に見られるように、チャンネル部材２１の下板２１ａの両端部寄りには、面発光ボードワイヤーへの給電ケーブル１８が貫通する孔７０が開けられている。図２では、給電ケーブル１８は上枠部材２０の孔１８を通しているが、下枠部材４０の孔１８を通してもよい。あるいは、図６（Ａ）の場合のように、パネルが上下に２段以上になっている場合に、下段のパネルへの給電ケーブルを、上段のパネルの下枠部材４０の孔１８を通してもよい。
【００３７】
図２に見られるように、パネル吊り装置１は、さらに、パネル１０の上下方向中間部のふくれを防止する固定具６１を備える。この固定具６１は、断面がコの字状の部材であり、一方の片に、止めネジ３１が螺合している。この止めネジ３１は各枠部材２０、４０に使用する止めネジ３１と同様のものを使用できる。なお、高さが低いパネルの場合や、パネルや展示シートの剛性が高い場合には、固定具６１は不要である。
【００３８】
このパネル吊り装置１にパネル１０を取り付ける方法の一例を説明する。
まず、ワイヤーＷを上枠部材２０の貫通孔２２を通して下方に引き出し、次に、下枠部材４０のワイヤーグリッパー５０のワイヤー通し孔５２に通す。ワイヤーは前述のとおりワイヤー通し孔５２を通過し、その後、下枠部材４０の貫通孔２２から下方へ引き出される。そして、ワイヤーＷを上方向に引くと、あるいは、グリッパー本体５０の外スリーブ５７を下に引くと、ワイヤーＷはグリッパー本体５０にグリップされる。
【００３９】
吊り下げ高さを変える場合は、前述のように下枠部材４０から突き出たワイヤーグリッパー５０の内スリーブ先部５１ａを下方に押して、ワイヤーグリッパー５０をワイヤーＷに沿って上下に移動可能とする。そして、所定の高さに下枠部材４０をスライドさせた後、ワイヤーグリッパー５０の内スリーブ先部５１ａを押していた力を解除すると、下枠部材４０がワイヤーＷにグリップされる。
【００４０】
下枠部材４０の位置が決まると、上枠部材２０をワイヤーＷに沿って上方向にスライドさせて、上下枠部材２０、４０の間を空ける。そして、ポスター等が挟まれたパネル１０の下端を下板部材４０のチャンネル部材２１の側板２１ｂ間に保持する。そして、上枠部材２０を下方にスライドさせて、パネル１０の上端を上板部材２０のチャンネル部材２１の側板２１ｂ間に保持する。最後に、各枠部材２０、４０の止めネジ３１でパネル１０を各枠部材２０、４０に固定する。また、固定具６１で、パネル１０の上下方向中間部をふくらまないように固定する。
【００４１】
パネルを上下させた場合のケーブル長さ調整は、適当な長さの端子付き中継ケーブルを差し込んだり（取り外したり）、天井などにケーブル収納スペースを設けたりすることにより行う。
【００４２】
図６は、図１・２のパネル吊り装置の使用例を示す図である。
図６（Ａ）は、２個のパネル吊り装置１をワイヤーＷに沿って上下に並べて吊り下げた例である。この例のパネルの寸法は、縦450mm、横560mmである。このパネルの面発光ボードも、上下辺にLED素子の列を有する。
図６（Ｂ）は、パネル吊り装置１が吊り下げられているワイヤーＷの上端を、天井に固定下レール７１に沿ってスライド可能な留め具に固定した例である。
図６（Ｃ）は、パネル吊り装置１が吊り下げられているワイヤーＷの上端を、天井に固定したレール８１に沿ってスライド可能な留め具に固定し、同レール８１に照明器具８３をスライド可能に取り付けた例である。また、この例では、パネル吊り下げ装置１の下方に、後述するバー吊り下げ装置１００を吊り下げている。
【図１】
2012120936.tif 000003
【図２】
2012120936.tif 000004
【図３】
2012120936.tif 000005
【図４】
2012120936.tif 000006
【図５】
2012120936.tif 000007
【図６】
2012120936.tif 000008
【国際調査報告】
2012120936.tif 000009
2012120936.tif 000010